【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
複数種類の図柄を変動表示する複数のリールと、
複数の前記リールそれぞれに対応して前記リールそれぞれの変動表示を操作により停止させる複数のストップスイッチと、
役に当選するか否かの役抽選を行う役抽選手段とを備え、
遊技媒体の投入を条件として遊技が開始され、前記役抽選の結果、役に当選し、この当選した役に係る図柄の組み合わせを所定の停止態様に停止表示させることで利益を付与可能な遊技機であって、
演出区間として、
操作手順により付与される有利度が異なる所定役において、有利となる操作手順を示唆可能な演出を許容する第１許容演出区間及び第２許容演出区間と、
前記有利となる操作手順を示唆する演出を許容しない非許容演出区間とが設けられ、
前記第２許容演出区間は、前記非許容演出区間及び前記第１許容演出区間よりも、利益付与の可能性が大きくなるように形成され、
前記第１許容演出区間では、所定の移行条件を満足した場合に、前記非許容演出区間へ移行可能であり、
前記非許容演出区間では、前記第１許容演出区間又は第２許容演出区間へ移行するか否かの抽選が実行可能であり、当該抽選に当選した場合には、前記第１許容演出区間又は第２許容演出区間へ移行可能に形成されていることを特徴とする遊技機。
【請求項２】
第１許容演出区間及び第２許容演出区間は、それぞれ連続して実行可能な最大遊技回数が設定されていることを特徴とする請求項１に記載の遊技機。
【請求項３】
複数種類の図柄を変動表示する複数のリールと、
複数の前記リールそれぞれに対応して前記リールそれぞれの変動表示を操作により停止させる複数のストップスイッチと、
役に当選するか否かの役抽選を行う役抽選手段とを備え、
遊技媒体の投入を条件として遊技が開始され、前記役抽選の結果、役に当選し、この当選した役に係る図柄の組み合わせを所定の停止態様に停止表示させることで利益を付与可能な遊技機であって、
演出区間として、
操作手順により付与される有利度が異なる所定役において、有利となる操作手順を示唆可能な演出を許容する第１許容演出区間及び第２許容演出区間と、
前記有利となる操作手順を示唆する演出を許容しない非許容演出区間とが設けられ、
前記第２許容演出区間は、前記非許容演出区間及び前記第１許容演出区間よりも、利益付与の可能性が大きくなるように形成され、
前記第１許容演出区間では、所定の移行条件を満足した場合に、前記非許容演出区間又は前記第２許容演出区間へ移行可能であり、
前記非許容演出区間では、前記第２許容演出区間へ移行するか否かの抽選が実行可能であり、
前記第１許容演出区間及び前記第２許容演出区間が連続して実行可能な最大遊技回数が設定されており、
前記第１許容演出区間から前記非許容演出区間を経由して、前記非許容演出区間から前記第２許容演出区間へ移行する場合は、前記非許容演出区間を経由せずに、前記第１許容演出区間から前記第２許容演出区間へ移行する場合に比べて、前記第２許容演出区間を連続して実行可能な遊技回数が長いことを特徴とする遊技機。
【請求項４】
複数種類の図柄を変動表示する複数のリールと、
複数の前記リールそれぞれに対応して前記リールそれぞれの変動表示を操作により停止させる複数のストップスイッチと、
役に当選するか否かの役抽選を行う役抽選手段とを備え、
遊技媒体の投入を条件として遊技が開始され、前記役抽選の結果、役に当選し、この当選した役に係る図柄の組み合わせを所定の停止態様に停止表示させることで利益を付与可能な遊技機であって、
演出区間として、
操作手順により付与される有利度が異なる所定役において、有利となる操作手順を示唆可能な演出を許容する第１許容演出区間及び第２許容演出区間と、
前記有利となる操作手順を示唆する演出を許容しない非許容演出区間とが設けられ、
前記第２許容演出区間は、前記非許容演出区間及び前記第１許容演出区間よりも、利益付与の可能性が大きくなるように形成され、
前記第１許容演出区間では、所定の移行条件を満足した場合に、前記非許容演出区間又は前記第２許容演出区間へ移行可能であり、
前記非許容演出区間では、前記第２許容演出区間へ移行するか否かの抽選が実行可能であり、
前記非許容演出区間から前記第２許容演出区間へ移行する確率は、前記第１許容演出区間から前記第２許容演出区間へ移行する確率よりも高いことを特徴とする遊技機。
【請求項５】
前記非許容演出区間では、前記第２許容演出区間へ移行するか否かの抽選を毎回の遊技の前記役抽選の結果に基づいて実行するか否かを決定していることを特徴とする請求項１から請求項４の何れか１項に記載の遊技機。
【請求項６】
複数種類の図柄を変動表示する複数のリールと、
複数の前記リールそれぞれに対応して前記リールそれぞれの変動表示を操作により停止させる複数のストップスイッチと、
役に当選するか否かの役抽選を行う役抽選手段とを備え、
遊技媒体の投入を条件として遊技が開始され、前記役抽選の結果、役に当選し、この当選した役に係る図柄の組み合わせを所定の停止態様に停止表示させることで利益を付与可能な遊技機であって、
演出区間として、
操作手順により付与される有利度が異なる所定役において、有利となる操作手順を示唆可能な演出を許容する第１許容演出区間、第２許容演出区間、及び第３許容演出区間と、
前記有利となる操作手順を示唆する演出を許容しない非許容演出区間とが設けられ、
前記第２許容演出区間は、前記非許容演出区間、前記第１許容演出区間及び前記第３許容演出区間よりも、利益付与の可能性が大きくなるように形成され、
前記第１許容演出区間では、所定の移行条件を満足した場合に、前記非許容演出区間又は前記第２許容演出区間へ移行可能であり、
前記非許容演出区間では、所定条件を満たすことで前記第３許容演出区間へ移行可能であり、
前記第３許容演出区間では、他の所定条件を満たすことで前記第２許容演出区間へ移行可能であり、
前記第３許容演出区間から前記第２許容演出区間へ移行する確率は、前記第１許容演出区間から前記第２許容演出区間へ移行する確率よりも高く設定されているとともに、前記第１許容演出区間から前記第３許容演出区間へは移行不可能に形成されていることを特徴とする遊技機。
【請求項７】
前記第１許容演出区間は、前記非許容演出区間よりも、利益付与の可能性が小さくなるように形成されていることを特徴とする請求項１から請求項６の何れか１項に記載の遊技機。
【請求項８】
遊技状態として、複数種類の遊技状態が設けられ、
前記非許容演出区間には、
前記複数種類の遊技状態として、
前記第１許容演出区間及び前記第２許容演出区間への移行抽選は実行されないが所定役の当選確率が他の遊技状態よりも高く設定されている第１特別状態と、
前記第２許容演出区間への移行抽選が実行可能であるとともに、前記第１許容演出区間への移行抽選も実行可能な第２特別状態とが設けられていることを特徴とする請求項１、請求項２、請求項１若しくは請求項２に従属する請求項５、又は請求項１若しくは請求項２に従属する請求項７に記載の遊技機。
【請求項９】
前記第１許容演出区間又は前記第２許容演出区間から前記非許容演出区間へ移行するまでには、少なくとも１回の有利となる操作手順を示唆可能な演出を実行することを特徴とする請求項１から請求項８の何れか１項に記載の遊技機。
【請求項１０】
前記第３許容演出区間から前記非許容演出区間へ移行するまでには、少なくとも１回の有利となる操作手順を示唆可能な演出を実行することを特徴とする請求項６、請求項６に従属する請求項７、又は請求項６に従属する請求項９に記載の遊技機。
【請求項１１】
前記非許容演出区間の遊技回数に基づいて、前記第２許容演出区間の実行可能な遊技回数を決定するように形成されていることを特徴とする請求項１から請求項１０の何れか１項に記載の遊技機。
【請求項１２】
現在の演出区間が有利となる操作手順を示唆可能な演出を許容する、前記第１許容演出区間及び前記第２許容演出区間を少なくとも含む許容演出区間であることを報知する区間報知ランプが設けられ、
前記区間報知ランプが点灯状態にあることで現在の演出区間が前記許容演出区間であることを報知し、前記区間報知ランプが消灯状態にあることで現在の演出区間が前記非許容演出区間であることを報知していることを特徴とする請求項１から請求項１１の何れか１項に記載の遊技機。
【手続補正２】
【補正対象書類名】明細書
【補正対象項目名】００２９
【補正方法】変更
【補正の内容】
【００２９】
本発明によれば、非許容演出区間の遊技回数に基づいて、第２許容演出区間の実行可能な遊技回数が決定される。第２許容演出区間が最も有利な区間であるため、第２許容演出区間の実行可能な遊技回数が多くなるほど、遊技者にとって有利なものとなる。かかる第２有利演出の遊技回数を非許容演出区間の遊技回数により決定することができるので、第２許容演出区間の遊技回数が多くなるように非許容演出区間の遊技回数を調整することになり、非許容演出区間がいわゆる一種のチャンスゾーンとしての意味合いを有することになる。
本発明に係る遊技機は、複数種類の図柄を変動表示する複数のリールと、複数の前記リールそれぞれに対応して前記リールそれぞれの変動表示を操作により停止させる複数のストップスイッチと、役に当選するか否かの役抽選を行う役抽選手段とを備え、遊技媒体の投入を条件として遊技が開始され、前記役抽選の結果、役に当選し、この当選した役に係る図柄の組み合わせを所定の停止態様に停止表示させることで利益を付与可能な遊技機であって、演出区間として、操作手順により付与される有利度が異なる所定役において、有利となる操作手順を示唆可能な演出を許容する第１許容演出区間及び第２許容演出区間と、前記有利となる操作手順を示唆する演出を許容しない非許容演出区間とが設けられ、前記第２許容演出区間は、前記非許容演出区間及び前記第１許容演出区間よりも、利益付与の可能性が大きくなるように形成され、前記第１許容演出区間では、所定の移行条件を満足した場合に、前記非許容演出区間又は前記第２許容演出区間へ移行可能であり、前記非許容演出区間では、前記第２許容演出区間へ移行するか否かの抽選が実行可能であり、前記第１許容演出区間及び前記第２許容演出区間が連続して実行可能な最大遊技回数が設定されており、前記第１許容演出区間から前記非許容演出区間を経由して、前記非許容演出区間から前記第２許容演出区間へ移行する場合は、前記非許容演出区間を経由せずに、前記第１許容演出区間から前記第２許容演出区間へ移行する場合に比べて、前記第２許容演出区間を連続して実行可能な遊技回数が長いことを特徴とする。
この構成によれば、第１許容演出区間から非許容演出区間を経由して、非許容演出区間から第２許容演出区間へ移行する方が、非許容演出区間を経由せずに、第１許容演出区間から第２許容演出区間へ移行する場合に比べて、第２許容演出区間を長く実施することが可能となるため有利となる。
本発明に係る遊技機は、複数種類の図柄を変動表示する複数のリールと、複数の前記リールそれぞれに対応して前記リールそれぞれの変動表示を操作により停止させる複数のストップスイッチと、役に当選するか否かの役抽選を行う役抽選手段とを備え、遊技媒体の投入を条件として遊技が開始され、前記役抽選の結果、役に当選し、この当選した役に係る図柄の組み合わせを所定の停止態様に停止表示させることで利益を付与可能な遊技機であって、演出区間として、操作手順により付与される有利度が異なる所定役において、有利となる操作手順を示唆可能な演出を許容する第１許容演出区間及び第２許容演出区間と、前記有利となる操作手順を示唆する演出を許容しない非許容演出区間とが設けられ、前記第２許容演出区間は、前記非許容演出区間及び前記第１許容演出区間よりも、利益付与の可能性が大きくなるように形成され、前記第１許容演出区間では、所定の移行条件を満足した場合に、前記非許容演出区間又は前記第２許容演出区間へ移行可能であり、前記非許容演出区間では、前記第２許容演出区間へ移行するか否かの抽選が実行可能であり、前記非許容演出区間から前記第２許容演出区間へ移行する確率は、前記第１許容演出区間から前記第２許容演出区間へ移行する確率よりも高いことを特徴とする。
この構成によれば、非許容演出区間から第２許容演出区間へ移行する確率が、第１許容演出区間から第２許容演出区間へ移行する確率よりも高いため、第１許容演出区間から非許容演出区間を経由して第２許容演出区間へ移行する方が有利となる。
本発明に係る遊技機は、複数種類の図柄を変動表示する複数のリールと、複数の前記リールそれぞれに対応して前記リールそれぞれの変動表示を操作により停止させる複数のストップスイッチと、役に当選するか否かの役抽選を行う役抽選手段とを備え、遊技媒体の投入を条件として遊技が開始され、前記役抽選の結果、役に当選し、この当選した役に係る図柄の組み合わせを所定の停止態様に停止表示させることで利益を付与可能な遊技機であって、演出区間として、操作手順により付与される有利度が異なる所定役において、有利となる操作手順を示唆可能な演出を許容する第１許容演出区間、第２許容演出区間、及び第３許容演出区間と、前記有利となる操作手順を示唆する演出を許容しない非許容演出区間とが設けられ、前記第２許容演出区間は、前記非許容演出区間、前記第１許容演出区間及び前記第３許容演出区間よりも、利益付与の可能性が大きくなるように形成され、前記第１許容演出区間では、所定の移行条件を満足した場合に、前記非許容演出区間又は前記第２許容演出区間へ移行可能であり、前記非許容演出区間では、所定条件を満たすことで前記第３許容演出区間へ移行可能であり、前記第３許容演出区間では、他の所定条件を満たすことで前記第２許容演出区間へ移行可能であり、前記第３許容演出区間から前記第２許容演出区間へ移行する確率は、前記第１許容演出区間から前記第２許容演出区間へ移行する確率よりも高く設定されているとともに、前記第１許容演出区間から前記第３許容演出区間へは移行不可能に形成されていることを特徴とする。
この構成によれば、第３許容演出区間から第２許容演出区間へ移行する確率が、第１許容演出区間から第２許容演出区間へ移行する確率よりも高く設定されているとともに、第１許容演出区間から第３許容演出区間へは移行不可能に形成されているため、第１許容演出区間から非許容演出区間を経由して第２許容演出区間へ移行する方が有利となる。
また、本発明に係る遊技機の具体例としては、さらに、現在の演出区間が有利となる操作手順を示唆可能な演出を許容する、前記第１許容演出区間及び前記第２許容演出区間を少なくとも含む許容演出区間であることを報知する区間報知ランプが設けられ、前記区間報知ランプが点灯状態にあることで現在の演出区間が前記許容演出区間であることを報知し、前記区間報知ランプが消灯状態にあることで現在の演出区間が前記非許容演出区間であることを報知していることを特徴とする。
この構成によれば、区間報知ランプの消灯が遊技者にとって、停止操作順序を示唆する演出が行われないマイナスのイメージではなく、チャンスとして捉えることができる。